(57)【特許請求の範囲】
【請求項１】
基準面を有する基台と、
上記基準面の上方に設けられた支軸を中心にして揺動自在なクラブ支持体と、
実質的にＶ形の凹部を互いに対向させ、その対向したＶ形凹部でクラブシャフトを着脱自在に保持するための一対のＶ型駒からなり、上記クラブ支持体の少なくとも２個所に設けられ、互いに対向したＶ形凹部の各中心を結ぶ基準線が上記基準面に対して斜めに交わるクラブ支持手段と、
上記基台に設けられ、上記基準線を含む鉛直仮想平面と上記基準平面との交線と平行な方向（Ｙ方向）に移動可能なＹ方向摺動体と、
Ｙ方向摺動体に対して、水平面内において１８０°回転可能、かつ、着脱自在であり、Ｙ方向摺動体の移動方向と直交する方向（Ｘ方向）に移動可能なＸ方向摺動体と、
Ｘ方向摺動体に垂直に立設され、アイアンクラブヘッドのリーディングエッジまたはネックを当接させる面をそれぞれ有する、Ｙ方向に間隔をおいて並んだ２本のポールと、
上記２本のポールのうちの一方のポールに上下動可能に設けられた、Ｙ方向と平行な基準縁を有するクラブフェイス規制部材と、
上記２本のポールのうちの他方のポールに上下動可能に設けられた、上記クラブフェイス規制部材によってフェースの向きを規制されたクラブのロフト角を測定する分度器と、
上記Ｙ方向摺動体のＸ方向と平行な側面に設けられた、上記Ｘ方向摺動体の上記鉛直仮想平面との距離を測定するスケールと、
上記支軸を中心とした円弧状面に目盛を有し、上記基準線の上記基準面に対する傾斜角を測定する分度器と、
を具備するゴルフ用クラブの測定器。
【請求項２】
基準面を有する基台と、
上記基準面の上方に設けられた支軸を中心にして揺動自在なクラブ支持体と、
実質的にＶ形の凹部を互いに対向させ、その対向したＶ形凹部でクラブシャフトを着脱自在に保持するための一対のＶ型駒からなり、上記クラブ支持体の少なくとも２個所に設けられ、互いに対向したＶ形凹部の各中心を結ぶ基準線が上記基準面に対して斜めに交わるクラブ支持手段と、
上記基台に設けられ、上記基準線を含む鉛直仮想平面と上記基準平面との交線と平行な方向（Ｙ方向）に移動可能なＹ方向摺動体と、
Ｙ方向摺動体に対して、水平面内において１８０°回転可能、かつ、着脱自在であり、Ｙ方向摺動体の移動方向と直交する方向（Ｘ方向）に移動可能なＸ方向摺動体と、
Ｘ方向摺動体に垂直に立設され、アイアンクラブヘッドのリーディングエッジまたはネックを当接させる面をそれぞれ有する、Ｙ方向に間隔をおいて並んだ２本のポールと、
上記２本のポールのうちの一方のポールに上下動可能に設けられた、Ｙ方向と平行な基準縁を有するクラブフェイス規制部材と、
上記２本のポールのうちの他方のポールに上下動可能に設けられた、上記クラブフェイス規制部材によってフェースの向きを規制されたクラブのロフト角を測定する分度器と、
Ｙ方向摺動体に着脱可能であって、上記クラブ支持手段に支持されたウッドクラブのヘッドのソールを載せるための、Ｙ方向摺動体に対してＸ方向摺動体と選択的に用いられるヘッド支持台と、
Ｙ方向摺動体のＸ方向と平行な側面に設けられた、Ｘ方向摺動体の上記鉛直仮想平面との距離を測定するスケールと、
Ｘ方向摺動体に着脱自在に設けられ、ウッドクラブのフェースの向きを測定する分度器と、
上記支軸を中心とした円弧状面に目盛を有し、上記基準線の上記基準面に対する傾斜角を測定する分度器と、
を具備するゴルフ用クラブの測定器。
【請求項３】
請求項２記載のゴルフ用クラブの測定器において、上記ヘッド支持台の上記ヘッドのソール前端部の前（トー）後（ヒール）部および後部の３箇所に対向する位置に、ヘッドのソールを規制する進退自在の突起を設けたゴルフ用クラブの測定器
【請求項４】
請求項２または３に記載のゴルフ用クラブの測定器において、クラブのロフト角を測定する上記分度器は、この分度器の中心を支点として揺動可能な、該支点から両方に延びる腕からなる定規を有し、この定規の一方の腕がクラブのフェースに当接し、他方の腕の先端が分度器の目盛りを指示するゴルフ用クラブの測定器。
【請求項５】
請求項４記載のゴルフ用クラブの測定器において、上記定規の一方の腕の両側
縁に、上記クラブフェイス規制部材によってフェースの向きを規制されたアイア
ンクラブのソールに当てがう円弧状の切欠きを設けたゴルフ用クラブの測定器。
【請求項６】
請求項１ないし５のうちの一つに記載のゴルフ用クラブの測定器において、上
記クラブ支持体を揺動させる操作ノブを有し、この操作ノブの軸と上記クラブ支
持体の支軸とを、奇数の中間歯車を含む減速歯車列で連結したゴルフ用クラブの
測定器。
【発明の詳細な説明】
【０００１】
【発明に属する技術分野】
本発明は、パターを含むゴルフ用クラブのライ角、フェイスのロフト角、フェイスプログレッション、ソール角、フェースの向き、ソールインバーション、その他ネックオフセットプログレッションなどを測定するゴルフ用クラブの測定器に関する。
【０００２】
【従来の技術】
ゴルフ用クラブ（以下、単に「クラブ」という）のライ角やフェイスのロフト角またはフェイスプログレッションを測定する測定器として、クラブヘッドを載置する水平をなす基準面に対し傾斜したクラブ支持部材に支持されたクラブのフェイスを、クラブフェイス規制部材によって一定の向きに規制して、クラブを所定の姿勢に保持し、その状態で、そのクラブのライ角、フェイスのロフト、フェイスプログレッションを測定することができる測定器が特許第２７９５４０２号で知られている。
【０００３】
【発明が解決しようとする課題】
上記の従来のクラブの測定器は、ライ角、フェイスのロフトまたはフェイスプログレッションを測定する度にクラブの姿勢を変える必要がない利点はあるが、測定時のクラブヘッドのソールが基準面に接した状態で置かれるので、ヘッドのソールアングルやウッドクラブヘッドのオリジナルロフトあるいはリアルロフトなどヘッドのソールが関係する角度の測定が困難であるという問題点があった。
【０００４】
【課題を解決するための手段】
本発明は、ゴルフ用クラブの測定器において、基台の水平をなす基準面の上方に設けられた支軸を中心にして揺動自在なクラブ支持体と、実質的にＶ形の凹部を互いに対向させ、その対向したＶ形凹部でクラブシャフトを着脱自在に保持するための一対のＶ型駒からなり、上記クラブ支持体の少なくとも２個所に設けられ、互いに対向したＶ形凹部の各中心を結ぶ基準線が上記基準面に対して斜めに交わるクラブ支持手段と、上記基準線を含む鉛直仮想平面と上記基準平面との交線と平行なＹ方向に移動可能な、上記基台に設けられたＹ方向摺動体と、Ｙ方向摺動体に対して、水平面内において１８０°回転可能、かつ、着脱自在であり、Ｙ方向摺動体の移動方向と直交する方向（Ｘ方向）に移動可能なＸ方向摺動体と、Ｘ方向摺動体に垂直に立設され、アイアンクラブヘッドのリーディングエッジまたはネックを当接させる面をそれぞれ有する、Ｙ方向に間隔をおいて並んだ２本のポールと、この２本のポールのうちの一方のポールに上下動可能に設けられた、Ｙ方向と平行な基準縁を有するクラブフェイス規制部材と、２本のポールのうちの他方のポールに上下動可能に設けられた、上記クラブフェイス規制部材によってフェースの向きを規制されたクラブのロフト角を測定する分度器と、Ｙ方向摺動体のＸ方向と平行な側面に設けられた、Ｘ方向摺動体の上記鉛直仮想平面との距離を測定するスケールと、上記支軸を中心とした円弧状面に目盛を有し、上記基準線の上記基準面に対する傾斜角を測定する分度器と、を具備しており、アイアンクラブの場合、そのヘッドを上記基準面から浮かした状態で、クラブの姿勢を変えることなく各角度やフェイスプログレッションおよびリーディングエッジのオフセットを測定するようにしたものである。
ウッドクラブの測定は、クラブ支持手段に支持されたウッドクラブのヘッドを載せる、Ｙ方向摺動体に着脱自在に設けられたヘッド支持体を用いて行なう。このヘッド支持体は、ソールの前端部のトー、ヒールおよび後部の３箇所に進退自在に配置されたヘッドのソールを規制する突起を持っている。
【０００５】
【作用効果】
本発明によれば、アイアンクラブの測定では、Ｘ方向摺動体に垂直に立設されたポールに上下動可能に設けられクラブフェイス規制部材を用いるので、ヘッドを基準面から浮かした状態で、クラブの姿勢を変えることなく各角度を測定することができる。また、上記ポールは、アイアンクラブヘッドのリーディングエッジまたはネックを当接させる面を有するので、フェイスプログレッションおよびリーディングエッジのオフセットを、Ｙ方向摺動体上のスケールで測定することができる。
ウッドクラブの場合は、、クラブ支持手段に支持されたウッドクラブのヘッドを載せる、Ｙ方向摺動体に着脱自在に設けられたヘッド支持台を用いるので、オリジナルロフトあるいはリアルロフトを容易に測定することができる。
【０００６】
【実施例】
図１において、符号１はクラブ測定器を、２は上面を水平な基準面２ａとする基板を、３は基台２に底部を固定された支柱をそれぞれ示す。支柱３の上端部には、短冊形のクラブ支持体４が支軸５により揺動自在に取り付けられている。支軸５の基端はクラブ支持体４に固定されており、同支軸５に先端には、後述の大歯車６が固定されている（図２参照）。
支柱３の上端には、支軸５を中心とする円弧上に目盛７を有するライ角測定用の分度器８が、その基部を固定されることにより設けられている。分度器８は、クラブ支持体４の上記基準面に対する傾斜角を測定するものであり、傾斜角はクラブ支持体４の上端に固定された指示体９で指し示される。
【０００７】
支柱３の上端部の側部には、クラブ支持体４を揺動させるための操作ノブ１０が回転自在に設けられている。操作ノブ１０の軸１１の内端には、小歯車１２が固定されており、この小歯車１２は、中間歯車１３を介して大歯車６にかみ合っている。
小歯車１２、中間歯車１３、大歯車６は、操作ノブ１０の回転を減速してクラブ支持体４に伝達する奇数の中間歯車を含む減速歯車列を構成する。奇数の中間歯車を有することにより、大歯車６すなわちクラブ支持体４は、操作ノブと同じ方向に回転する。
【０００８】
図１、図３、図４において、クラブ支持体４の上下各端部には、実質的にＶ形の凹部１５を互いに対向させた一対のＶ型駒１６からなるグリッパ１７が、対向凹部１５の各中心を結ぶ基準線１８がクラブ支持体４と平行になるように設けられる。各Ｖ型駒１６は、軸２０で摺動駒２１に首振り自在に設けられており、各摺動駒２１は、一端につまみ２２を一体的に有する送りねじ棒２３に螺合している。送りねじ棒２３には、右ねじ２４Ｒと左ねじ２４Ｌが設けられており、各送りねじに各摺動駒２１がそれぞれ螺合している。従って、つまみ２２を指先で左右何れかに回転させることにより、互いに対向する摺動駒２１同士、すなわちＶ型駒１６同士を互いに近接あるいは離間させることができる。
送りねじ棒２３は、クラブ支持体４に設けられた一対の軸受２５に回転自在に支持されていて、一方の軸受２５にねじ込まれた小ねじ２６の先端を送りねじ棒２３の周溝２７に緩く係合させることにより、軸方向の移動が阻止されている。
【０００９】
Ｖ型駒１６は首振り自在であるから、クラブのシャフトにステップがある場合でも、図５に示すように、グリッパ１７がシャフト２８のステップ２９を掴んでも、各Ｖ型駒１６が互いに傾いた姿勢でシャフト２８をしっかり保持する。
グリッパ１７で支持されたシャフト２８の中心線は、基準線１８と一致しクラブ支持体４と平行である。
【００１０】
基台２の上面（基準面）には、前記基準線１８を含む鉛直仮想平面と、前記基準面との交線と平行な方向（以下、Ｙ方向という）に摺動可能なＹ方向摺動体３０が設けられている。Ｙ方向摺動体３０は、その底面に設けられたＹ方向の突条を基台２に設けられたＹ方向の溝３１に摺動自在に係合させることにより、基台２上での移動が規制される。
Ｙ方向摺動体３０の上面には、このＹ方向摺動体の移動方向と直交する方向（以下、Ｘ方向という）に移動可能なＸ方向摺動体３２が設けられている。Ｘ方向移動体３２は、その底面に設けられたＸ方向の突条３３をＹ方向摺動体３０に設けられたＸ方向の溝３４に摺動自在に係合させることにより、Ｙ方向摺動体３０上での移動が規制される。
【００１１】
Ｘ方向摺動体３２には、Ｙ方向に間隔を置いた２本の角柱からなるポール３５，３６が垂直に立設されている。
図６において、一方のポール３５には、Ｙ方向と平行な基準縁３７ａを有するクラブフェイス規制部材３７が上下動自在に、また、他方のポール３６には、図１に示されるように、分度器３９が上下動自在にそれぞれ設けられる。クラブフェイス規制部材３７および分度器３９は、それらの角筒部３７ａ、３９ａを、各ポール３５、３６との間に適当な大きさの摩擦をもたせて嵌合させることにより、ポール上の任意の位置に静止させることができる。
Ｘ方向摺動体３２の形状は、両ポール３５、３６の中心線を含む面に関し対称である。
分度器３９は、その中心を支点として揺動可能な、該支点から両方に延びる腕４０ａ、４０ｂからなる定規４０を有し、この定規４０の一方の腕４０ａがクラブのフェースに当接し、他方の腕４０ｂの先端が分度器の目盛りを指す。
定規４０は分度器３９の中心に揺動自在に枢着されており、つまみ４１を緩めることにより揺動させることができる。
定規４０の腕４０ａの両側縁には、クラブフェイス規制部材３７によってフェイスの向きを規制されたアイアンクラブのソールに当てがう円弧状のくぼみ４２Ｒ、４３Ｌが形成されている。
【００１２】
Ｙ方向摺動体３０のＸ方向と平行な面をなす側面３０ａには、Ｘ方向摺動体３２の前記鉛直仮想平面との距離を測定するスケール４５が、そしてＸ方向摺動体３２の側面３２ａには、スケール４５のバーニヤ４６がそれぞれ設けられている。スケール４５とバーニヤ４６とでノギスを構成する。
バーニヤ４６の０目盛りは、ポール３５、３６の内側面を含む鉛直仮想平面内にあり、一方、スケール４５の０目盛りは、前記基準線１８を含む鉛直仮想平面内にある。
Ｘ方向摺動体３２の、側面３２ａと対向する側面には、左打ち用クラブの測定のための後述するバーニヤが設けられている。左打ち用クラブの測定は、Ｘ方向摺動体３２をＹ方向摺動体３０に対して１８０°回転させることにより行う。
【００１３】
図７、図８は、Ｙ方向摺動体３０に着脱自在に設けられ、クラブ支持体４に支持されたウッドクラブのヘッドのソールを載せるヘッド支持台５０を示す。
ヘッド支持台５０は、略正方形をなす底板５１と、底板５１の中央に設けられた短柱５２の頂部に固定された上板５３と、上板５３の一辺にＹ方向の軸５４で揺動自在に支持された揺動片５５と、上板５３に載せられたウッドクラブヘッドのソールの前端部のトー寄り、ヒール寄りに対向するように、揺動片５５の前後端に設けられた突起５６、５７と、ソールの後部に対向するように、上板５３に設けられた突起５８と、突起５６、５７のそれぞれの下端と底板５１との間に介装され、突起５６、５７を浮上させる向きの回動習性を揺動片５５に与える圧縮ばね６０、６１と、により構成されている。
各突起５６、５７、５８は、ねじからなり、それらの下端のつまみを回すことにより、上板５３からの突出量を調整される。上板５３の突起５８の前後には突起５８を選択的にねじ込む雌ねじ６２、６３が設けられている。
底板５１の下面には、Ｘ方向の突条５１ａが設けられている。ヘッド支持体５０は、Ｘ方向摺動体３２に隣合わさるように、その突起５１ａをＹ方向摺動体３０の溝３４に、摺動自在に係合させる。
【００１４】
Ｘ方向摺動体３２の上面にも突条３３と同じ向きの突条６５が形成されている。図９、図１０に示すように、Ｘ方向摺動体３２には、分度器台６６がその下面に形成されたＸ方向の溝６７を突条６５に係合させることにより、Ｘ方向に摺動自在に設けられる。分度器台６６の上部には、短冊状の揺動可能な分度器７０がＹ方向の軸６８で枢着されている。分度器７０の一端には、フェイス角の測定片７１が縦軸７２で揺動自在に設けられている。
測定片７１の一端部７１ａの端面には、ねじの先端からなる突起７３、７４が互いに間隔をおいて設けられている。測定片７１の先き細りの尾端７１ｂは、分度器７０の目盛りを指し、分度器７０に対する測定片７１の傾度を示す。
【００１５】
アイアンクラブの測定
図１において、先ず、クラブヘッドＨのフェイスがクラブフェイス規制部材３７（図６）の高さになるように、クラブシャフト２８をグリッパ１７のＶ型駒１６により軽く支持する。
次に、図６に示すように、クラブフェイス規制部材３７の基準縁３７ａを、クラブフェイスの溝に係合させるべく、操作ノブ１０（図１）を操作してクラブシャフト２８の傾斜角を調整し、クラブシャフト２８を回転してクラブフェイスの向きを調整する。クラブフェイス規制部材３７をポール３５に沿って上下動させて、その基準縁３７ａを、クラブフェイスの一番下の溝に係合させる。この状態で、つまみ２２を締め付けてクラブシャフト２８をグリッパ１７でクラブ支持体４にしっかり固定してクラブの被測定姿勢を完了する。
【００１６】
ライ角の測定
クラブの被測定姿勢において、指示体９が指示するライ角測定用の分度器８の目盛７（図１）を読み取る（例えば６０度）。
【００１７】
ロフト角の測定
クラブの被測定姿勢において、つまみ４１を反時計方向に回して少し緩めて、図１１に示すように、ポール３６上（図１）の分度器３９の定規４０を回動させて、その腕４０ａをフェースに当接させ、腕４０ｂの先端でロフト角を読み取る（例えば２５度）。必要があれば、つまみ４１を締め付けて定規４０を分度器に固定することができる。
【００１８】
フェイスプログレッションの測定
クラブの被測定姿勢において、図１２に示すように、クラブフェイス規制部材３７をポール３５の根元に落とした状態でポール３５を、Ｘ方向摺動体３２をＸ方向に移動させることにより、クラブヘッドＨのリーディングエッジＨａに当接して、スケール４５の目盛りをバーニヤ４６の０目盛りで読み取る（例えば３ｍｍ）。
リーディングエッジＨａは、緩やかな凸状に湾曲しているので、プログレッションの測定は、最も突出した位置で行う。
クラブヘッドＨの高さが比較的低く設定されていて、クラブフェイス規制部材３７が測定の邪魔になるような場合は、これをポール３５から抜き取ることもできる。
【００１９】
ソール角の測定
クラブの被測定姿勢において、図１３に示すように、定規４０のくぼみ４２Ｒにクラブヘッドのソールを、その中心を中心線８０に合わせてセットし、例えばサンドウェッジのスクープ角あるいはバンス角を分度器で読み取る。クラブの被測定姿勢において、図１３に示すように、クラブヘッドのソールに対する定規のくぼみのセットは、Ｘ方向摺動体３２の水平移動、分度器３９の上下動により行う。
【００２０】
リーディングエッジのオフセット測定
クラブの被測定姿勢において、図１４に示すように、ポール３５をアイアンのネックＨｂに当接させ、ポール３５のネックＨｂとの接触面を含む仮想平面ＰとリーディングエッジＨａとのＸ方向の距離ｄ（オフセット）をフェイスプログレッションの測定のときと同様、スケール４５で読み取る。オフセットｄの大きさによりノーオフセットエッジ（ストレートエッジ）、スライトオフセットエッジ、モデラートオフセットエッジ、エキストリームオフセットエッジと区分けされる。
【００２１】
ウッドクラブの測定
図９、図１０において、Ｙ方向摺動体３０の溝３４にヘッド支持台５０の突条５１ａ（図７）を係合させて、Ｙ方向摺動体３０にヘッド支持台５０をＸ方向に摺動自在に載せる。一方、Ｘ方向摺動体３２の突条６５に分度器台６６のＸ方向の溝を係合させて、Ｘ方向摺動体３２に分度器台６６を摺動自在に載せる。
ウッドクラブヘッドＨがヘッド支持体５０の高さになるように、クラブシャフト８１をクラブ支持体４（図１）のグリッパ１７のＶ型駒１６により軽く支持し、ヘッドＨがヘッド支持台５０の上板５３の中央に乗るようにヘッド支持体５０の位置を、Ｙ方向摺動体３０、Ｘ方向摺動体３２を摺動して決める。
ヘッド支持体５０上において、互いに略同じ高さ、好ましくは同じ高さに調整された突起５６、５７にヘッドＨのエッジ寄りのソールが接触するように操作ノブ１０（図１）を操作してクラブシャフトの傾斜角を調整し、クラブシャフトを回転してクラブフェイスの向きを調整する。突起５６、５７は圧縮ばね６０、６１の弾力によりヘッドＨのソールに当接する。この状態で、つまみ２２（図１）を締め付けてクラブシャフトをグリッパ１７でクラブ支持体４にしっかり固定してクラブの第１の被測定姿勢を完了する。
【００２２】
ライ角の測定
クラブの第１の被測定姿勢において、アイアンクラブのライ角測定と同様、指示体９（図１）が指示するライ角測定用の分度器８の目盛り７（図１）を読み取る。
【００２３】
フェイスの向きの測定
クラブの第１の被測定姿勢において、図９に示すように、測定片７１の突起７３、７４をヘッドＨのフェイスに均等に当接させ、測定片７１の尾端７１ｂで分度器７０を読み取る。
【００２４】
ロフト角の測定
１．オリジナルロフト角
クラブの第１の被測定姿勢において、図１１に示すアイアンクラブのライ角測定と同様、分度器３９の定規４０の腕４０ａを、つまみ４１を操作してウッドクラブのフェースに当接させ、腕４０ｂの先端でロフト角を読みとる。
２．リアルロフト角
図９において、測定片７１の突起７３、７４をヘッドＨのフェイスに均等に当接させ、測定片７１の尾端７１ｂが分度器７０の目盛り０を指すように、クラブのシャフトを指で掴んで僅かに回転させて調整し、クラブの第２の被測定姿勢を整える。
クラブの第２の被測定姿勢において、上記オリジナルロフト角の測定と同様の手法でロフト角を読みとる。
リアルロフト角は、プレーヤーが実際にボールを打つときのアドレスにおけるフェイスの向きが飛球線を向いている状態でのロフトの角度である。
【００２５】
フェイスプログレッションの測定
図１６に示すように、クラブの第２の被測定姿勢において、アイアンクラブのフェイスプログレッションの測定と同様、ポール３５をクラブヘッドＨのリーディングエッジＨａに当接して、スケール４５の目盛りをバーニヤ４６の０目盛りで読み取る。リーディングエッジＨａは、緩やかな凸状に湾曲しているので、プログレッションの測定は、最も突出した位置で行う。
【００２６】
ソールインバージョンの測定
ヘッドのソールをヘッド支持体５０に乗せた状態で突起５８を回転させながら上昇させ、その先端がソールに接触したときのヘッド支持体５０からの突起５８の突出量をノギスで測定する。図１０では、突起５８がソールの後部寄りに位置するが、オープンフェイスかクローズドフェイスかによっては、ヘッド支持体５０をＹ方向摺動体に対して１８０°回転させて、突起５８をソールの前部寄りに位置させた状態で測定する。
【００２７】
以上説明したクラブの測定は何れも右打ち用であるが、左打ち用クラブを測定する場合は、図１において、Ｘ方向摺動体３２をＹ方向摺動体３０に対して１８０°回転させることにより、クラブフェイス規制部材３７、分度器３９の向きを左打ちクラブ用に設定したのち、右打ち用クラブの測定に準じた手順で行う。
図１７は、Ｘ方向摺動体３２をＹ方向摺動体３０に対して１８０°回転させた状態を示す。
同図では、クラブフェイス規制部材３７がポール３６から抜き取られているが、既に述べたように、クラブフェイス規制部材３７をポール３５の根元に落とした状態にしてもよい。
Ｘ方向摺動体３２の端面３２ｂ（図１の端面３２ａと反対の面）には、左用のバーニヤ４６Ｌが設けられている。バーニヤ４６Ｌの０目盛りは、図１におけるポール３５、３６の外側面（図１７の右側面３５Ｌ）を含む鉛直仮想平面内にある。
【００２８】
アイアンクラブによっては、フェイスに溝線ではなくドットを設けたものもある。ドット付きフェイスの場合、溝線に整合させるためのクラブフェイス規制部材３７は有効に使用できないので、この場合、ウッドクラブ測定用のヘッド支持体５０を用い、同じ高さに調整された突起５６、５７にソールのトウ側及びヒール側を当接させ、ウッドクラブのリアルロフトの測定手順に準じて被測定姿勢を整える。
【００２９】
図１において、グリッパ１７は、既に説明したように、クラブ支持体４に設けられている。したがって、クラブヘッドの基台２に対する高さの調整は、クラブシャフトを軽く掴んだグリッパ１７に対してクラブシャフトを斜め上下に滑らして行ない、クラブヘッドが所定の位置を占めたところでグリッパ１７を締め付けてクラブシャフトをクラブ支持体４に固定する。
このように、グリッパ１７に対してクラブシャフトを滑らしてクラブヘッドの高さを調整する代わりに、シャフトをしっかり掴んだグリッパ自体をクラブ支持体４に対して移動させるようにしてもよい。
【００３０】
図１８は、グリッパを有するクラブ支持体４を支持体基板１０４に対して往復移動させるようにした実施例を示す。
支持体基板１０４の上面には、中心線１８（図１）と平行な溝が設けられており、この溝にクラブ支持体４の底面に設けられた突条４ａが摺動可能に係合している。クラブ支持体４の底面には、突条４ａと平行なラック１０５が固定されており、このラック１０５にかみ合うピニオン１０６が支持体基板１０４に設けられている。ピニオン１０６はその軸１０７の一端を、支持体基板１０４に設けられた軸受けブロック１０８に回転自在に支持されている。ピニオン軸１０７の外端には、ピニオン１０６を回転させるためのノッブ１０９が固定されている。支持体基板１０４には、突条４ａと平行な長穴１１０が形成されていて、この長穴１１０には、固定用つまみ１１１のねじ軸が挿入され、ねじ軸の先端がクラブ支持体４にねじ込まれている。
固定用つまみ１１１を少し緩めた状態で、ノッブ１０９を正逆何れかに回転させてクラブ支持体４を支持体基板１０４に対して上下動させることにより、グリッパに支持されたクラブヘッドの高さを調整したのち、固定用つまみ１１１を締め付けて、クラブ支持体４を支持体基板１０４に固定する。
このように、クラブ支持体４を上下動可能にすることにより、クラブヘッドの位置調整が容易になる。クラブ支持体４と支持体基板１０４との間に、クラブ支持体４が支持体基板１０４に対して自由にずれ落ちない程度の摩擦を与えることにより、クラブヘッドに位置調整がさらに容易になる。
【００３１】
パターに関しては、ヘッド支持台５０と分度器台６６を用いたウッドクラブの測定に準じた手順で、ライ角、ロフト角、フェースプログレション、ソールインバージョンの測定を行うことができる。
【図面の簡単な説明】
【図１】本発明の一実施例を示すゴルフ用クラブの測定器の斜視図である。
【図２】クラブ支持体を揺動させる歯車機構の一例を示す斜視図である。
【図３】クラブのシャフトを掴むグリッパを示す平面図である。
【図４】図３のＩＶ―ＩＶ断面図である。
【図５】グリッパの一対のＶ型駒でクラブシャフトが把持された状態を示す説明図である。
【図６】クラブフェイス規制部材でクラブの姿勢が整えられた状態を示す斜視図である。
【図７】ウッドクラブを測定するためのヘッド支持台の斜視図である。
【図８】図７の部分断面側面図である。
【図９】測定片でウッドクラブの姿勢が整えられた状態を示す斜視図である。
【図１０】図９の側面図である。
【図１１】クラブフェイスのロフトの分度器による測定法の一例を示す正面図である。
【図１２】リーディングエッジのプログレッションの測定法の一例を示す説明図である。
【図１３】アイアンクラブのソール角の測定法の一例を示す正面図である
【図１４】リーディングエッジのオフセット測定法の一例を示す斜視図である。
【図１５】ヘッド支持台上でウッドクラブの姿勢が整えられた状態を示す正面図である。
【図１６】フェイスプログレッションの測定法の一例を示す説明図である。
【図１７】左用クラブのリーディングエッジのプログレッションの測定法の一例を示す説明図である。
【図１８】本発明の別の実施例を示すゴルフ用クラブの測定器の部分斜視図である。
【符号の説明】
１              クラブの測定器
２              基台
２ａ            基準面
４              クラブ支持体
５              支軸
６、１２、１３  減速歯車列
８、３９、７０  分度器
１０            操作ノブ
１７            クラブ支持手段
１８            基準線
３０            Ｙ方向摺動体
３２            Ｘ方向摺動体
３５、３６      ポール
３７            クラブフェイス規制部材
４０            定規
５０            ヘッド支持台
４５            スケール
４６、４６Ｌ    バーニヤ
５６、５７、５８  突起
１０４          支持基板
【図１】
0003578950.tif 000002
【図２】
0003578950.tif 000003
【図３】
0003578950.tif 000004
【図４】
0003578950.tif 000005
【図５】
0003578950.tif 000006
【図６】
0003578950.tif 000007
【図７】
0003578950.tif 000008
【図８】
0003578950.tif 000009
【図９】
0003578950.tif 000010
【図１０】
0003578950.tif 000011
【図１１】
0003578950.tif 000012
【図１２】
0003578950.tif 000013
【図１３】
0003578950.tif 000014
【図１４】
0003578950.tif 000015
【図１５】
0003578950.tif 000016
【図１６】
0003578950.tif 000017
【図１７】
0003578950.tif 000018
【図１８】
0003578950.tif 000019